(57)【要約】      （修正有）【課題】デスクワークをする場合に、手に加わる負荷を減少させることができ、手の疲労を軽減化させることによってデスクワークを効率的に行うことができるデスクワーク用手袋を提供する。【解決手段】デスクワーク用の手袋１０の上部には、手Ｈの親指１の先端から第１関節１ａまでを露出させる親指用露出口１１と、他の４本の指２〜５の先端から少なくとも第１関節２ａ〜５ａまでを露出させる１つの４本指用露出口１２が形成されている。また、手の母指球と小指球とを覆うクッション部材２０が手首関節まで延在するように配設されている。【選択図】図１
0003234810.tif 000002
【実用新案登録請求の範囲】
【請求項１】
デスクワークをする場合に手に装着するデスクワーク用手袋であって、
前記手袋を手に装着した際に、前記手の親指の先端から第１関節までが露出し且つ他の４本の指の先端から少なくとも第１関節までが露出するように前記手袋の上部には前記親指が挿入可能な親指用露出口と前記他の４本の指全てが挿入可能な４本指用露出口という２つの露出口が形成され、
前記手袋を前記手に装着した際に、前記手の掌側の手首関節と母指球と小指球とが当接する前記手袋の部分には、前記手首関節と前記母指球と前記小指球とを一体的に覆う形状のクッション部材が配設されていることを特徴とするデスクワーク用手袋。
【請求項２】
デスクワークをする場合に手に装着するデスクワーク用手袋であって、
前記手袋を手に装着した際に、前記手の親指の先端から第１関節までが露出し且つ他の４本の指の先端から少なくとも第１関節までが露出するように前記手袋の上部には前記親指が挿入可能な親指用露出口と前記他の４本の指全てが挿入可能な４本指用露出口という２つの露出口が形成され、
前記手袋を前記手に装着した際に、前記手の掌側と前記手の甲側との間に位置する前記手の小指球の側面部が当接する前記手袋の部分には、前記小指球の側面部を全体的に覆う形状のクッション部材が配設されていることを特徴とするデスクワーク用手袋。
【請求項３】
デスクワークをする場合に手に装着するデスクワーク用手袋であって、
前記手袋を手に装着した際に、前記手の親指の先端から第１関節までが露出し且つ他の４本の指の先端から少なくとも第１関節までが露出するように前記手袋の上部には前記親指が挿入可能な親指用露出口と前記他の４本の指全てが挿入可能な４本指用露出口という２つの露出口が形成され、
前記手袋を前記手に装着した際に、前記手の掌側の手首関節と母指球と小指球とが当接する前記手袋の部分には、前記手首関節と前記母指球と前記小指球とを一体的に覆う形状のクッション部材が配設され、
前記手袋を前記手に装着した際に、前記手の掌側と前記手の甲側との間に位置する前記手の小指球の側面部が当接する前記手袋の部分には、前記小指球の側面部を全体的に覆う形状のクッション部材が配設されていることを特徴とするデスクワーク用手袋。
【請求項４】
前記クッション部材は、当該クッション部材の全体を覆う形状で且つその周縁部が前記手袋に縫製されている押え布部材によって前記手袋に配設されていることを特徴とする請求項１ないし請求項３のいずれかの項に記載のデスクワーク用手袋。
【請求項５】
前記手袋と前記クッション部材とは、無縫製ニット構造によって一体的に形成されていることを特徴とする請求項１ないし請求項３のいずれかの項に記載のデスクワーク用手袋。
【考案の詳細な説明】
【技術分野】
【０００１】
本考案は、デスクワークをする際に手に装着して、デスクワーク時の手への負担を軽減させるデスクワーク用手袋に関するものである。
【背景技術】
【０００２】
職場でのデジタル化が進んだ現代においては、パソコンを用いるデスクワークに費やす時間が増加している。また、近年においては、「リモートワーク」や「テレワーク」と称される会社に行かずに自宅でパソコンを用いて作業を行う勤務形態も増えてきており、パソコンを用いるデスクワークに費やす時間はさらに増加する傾向にある。
【考案の概要】
【考案が解決しようとする課題】
【０００３】
パソコンを用いてデスクワークをする場合、通常、その使用者は図８に示したようにデスクＤ上に置かれたパソコンのキーボードＫを手Ｈの指で操作して作業を行なう。
【０００４】
ここで、図８に示したような状態で長時間作業を行っていると、図９に示した手Ｈの掌側の母指球Ｐ１付近や小指球Ｐ２付近、さらに手首関節ＨＪと手Ｈの掌との間の部分などが、デスクＤやキーボードＫに接触して圧迫され易く、手Ｈの他の部分に比して特にこの部分に対する負荷が増加してしまう。このように、この部分への負荷が増加して、この部分に疲労が蓄積すると、手Ｈ全体の動きが鈍くなって作業効率が低下してしまうという問題があった。
【課題を解決するための手段】
【０００５】
以上の問題を解決するために、本考案の第１の手段は、デスクワークをする場合に手に装着するデスクワーク用手袋であって、前記手袋を手に装着した際に、前記手の親指の先端から第１関節までが露出し且つ他の４本の指の先端から少なくとも第１関節までが露出するように前記手袋の上部には前記親指が挿入可能な親指用露出口と前記他の４本の指全てが挿入可能な４本指用露出口という２つの露出口が形成され、前記手袋を前記手に装着した際に、前記手の掌側の手首関節と母指球と小指球とが当接する前記手袋の部分には、前記手首関節と前記母指球と前記小指球とを一体的に覆う形状のクッション部材が配設されていることを特徴とするものである。
【０００６】
また、本考案の第２の手段は、デスクワークをする場合に手に装着するデスクワーク用手袋であって、前記手袋を手に装着した際に、前記手の親指の先端から第１関節までが露出し且つ他の４本の指の先端から少なくとも第１関節までが露出するように前記手袋の上部には前記親指が挿入可能な親指用露出口と前記他の４本の指全てが挿入可能な４本指用露出口という２つの露出口が形成され、前記手袋を前記手に装着した際に、前記手の掌側と前記手の甲側との間に位置する前記手の小指球の側面部が当接する前記手袋の部分には、前記小指球の側面部を全体的に覆う形状のクッション部材が配設されていることを特徴とするものである。
【０００７】
さらに、本考案の第３の手段は、デスクワークをする場合に手に装着するデスクワーク用手袋であって、前記手袋を手に装着した際に、前記手の親指の先端から第１関節までが露出し且つ他の４本の指の先端から少なくとも第１関節までが露出するように前記手袋の上部には前記親指が挿入可能な親指用露出口と前記他の４本の指全てが挿入可能な４本指用露出口という２つの露出口が形成され、前記手袋を前記手に装着した際に、前記手の掌側の手首関節と母指球と小指球とが当接する前記手袋の部分には、前記手首関節と前記母指球と前記小指球とを一体的に覆う形状のクッション部材が配設され、前記手袋を前記手に装着した際に、前記手の掌側と前記手の甲側との間に位置する前記手の小指球の側面部が当接する前記手袋の部分には、前記小指球の側面部を全体的に覆う形状のクッション部材が配設されていることを特徴とするものである。
【０００８】
以上の第１の手段ないし第３の手段においては、前記クッション部材は、当該クッション部材の全体を覆う形状で且つその周縁部が前記手袋に縫製されている押え布部材によって前記手袋に配設されていてもよいし、また、前記手袋と前記クッション部材とは、無縫製ニット構造によって一体的に形成されていてもよい。
【考案の効果】
【０００９】
本考案によれば、デスクワークをする場合に、手に加わる負荷を減少させることができ、手の疲労を軽減化させることによってデスクワークを効率的に行うことができる。
【図面の簡単な説明】
【００１０】
【図１】本考案の実施例１の構成を示す斜視図である。
【図２】本考案の実施例１の構成の説明図である。
【図３】本考案の実施例１の動作説明図である。
【図４】本考案の実施例１の構成の説明図である。
【図５】本考案の実施例２の構成を示す斜視図である。
【図６】本考案の実施例２の動作説明図である。
【図７】本考案の実施例３の構成を示す斜視図である。
【図８】従来のデスクワークの状態の説明図である。
【図９】人間の手の掌側の各部の説明図である。
【考案を実施するための形態】
【００１１】
以下、図面を用いて本考案の実施例について説明する。
【実施例１】
【００１２】
図１は本考案の実施例１に係るデスクワーク用の手袋１０の構成を示した斜視図である。
【００１３】
図１に示したように、本実施例１に係る手袋１０においては、手Ｈに装着した際に、手Ｈの親指１の先端から第１関節までが露出するように親指１が挿入可能な親指用露出口１１が手袋１０の上部に設けられている。さらに、他の４本の指２〜５の先端から第２関節２ｂ〜５ｂまでが露出するように、この４本の指２〜５の全てが挿入可能な４本指用露出口１２が手袋１０の上部に１つ設けられている。ここで、図１中の２ａ〜５ａは、４本の指２〜５のそれぞれの第１関節である。
【００１４】
このように本実施例１においては、手袋１０の上部に上述したような２つの露出口１１，１２が設けられているので、手袋１０を手Ｈに装着した状態でも、素手でキーボードを操作する場合（図８参照）と同様に違和感なくキーボードを操作することができる。
【００１５】
なお、図１に示したように本実施例１の４本指用露出口１２には、４本の指２〜５の可動性を高めに維持するために、４本の指２〜５の先端から第２関節２ｂ〜５ｂまでが露出するように構成されているが、例えばキーのストロークが小さいキーボードを操作するような場合には、４本の指２〜５の先端から第１関節２ａ〜５ａまでの指の先端部分のみが露出するように構成されていれば違和感なくキーの操作を行うことができる。従って、この４本指用露出口１２は、４本の指２〜５の先端から少なくとも第１関節２ａ〜５ａまでが露出するように構成されていれば、本考案の効果を得ることができる。
【００１６】
また、本実施例１に係る手袋１０においては、その内部側にウレタン等の素材からなるクッション部材２０が配設されている。
【００１７】
このクッション部材２０は、手Ｈに手袋１０を装着した図１に示すような状態においては、図９に示す手Ｈの掌側の手首関節ＨＪと母指球Ｐ１と小指球Ｐ２とを一体的に覆うような形状に形成されている。
【００１８】
以上のような形状に形成されたクッション部材２０は、図２（ａ），（ｂ）に示すように、押え布部材３０によって手袋１０の掌側部材１０ａに固定されている。
【００１９】
このような本実施例１に係る構成の手袋１０は、図２（ａ）に示したように、先ず、手袋１０の掌側部材１０ａに、クッション部材２０をその全体を覆う形状の押え布部材３０の周縁部を縫製することによって固定し、その後、クッション部材２０が配設された掌側部材１０ａの周縁部と手の甲側部材１０ｂの周縁部とを縫製することによって作成することができる。
【００２０】
以上のように構成された本実施例１に係る手袋１０を手Ｈに装着してキーボードの操作を行う場合には、図３に示したようにキーボードＫやデスクＤと接触して圧迫され易い手Ｈの掌側の部分には、キーボードＫやデスクＤとの間にクッション部材２０が常に介在することになるので、掌のこの部分の負荷が減少してこの部分の疲労の蓄積が軽減化される。また、クッション部材２０に厚みがあるので、手袋１０を装着した手Ｈを常にデスクＤ上に載置した安定した状態で作業をすることができる。さらに、手ＨとデスクＤとの間に手袋１０が常に介在しているので、手Ｈを前後左右に滑らせて移動させるときでも、汗をかいた素手のようにデスクＤにべたついて動かしにくくなるようなことはない。
【００２１】
このように使用される本実施例１に係るデスクワーク用の手袋１０は、デスクＤ上で手Ｈをスムーズに移動させる機能を有している素材であれば、綿，絹，麻，ナイロン等どのような素材で構成してもよい。
【００２２】
以上説明した本実施例１は、図４（ａ）の断面図に示したようにクッション部材２０を押え布部材３０によって掌側部材１０ａに固定する構成となっている。
【００２３】
ここで、カカトの部分にのみクッション部が形成されている靴下の製造方法として従来から知られている製造方法を用いても本実施例１を製造することができる。
【００２４】
このような靴下の製造方法は、「ホールガーメント（登録商標）」と称される編み機を用いて、クッション部と靴下とを一体的に編み上げて無縫製ニット構造のクッション部付靴下を製造する製造方法であり、クッション部の形状や厚みなどを自由に設定できる製造方法である。この製造方法においては、靴下全体を構成する編み糸やクッション部を構成する編み糸を所望の種類の編み糸にすることも可能である。
【００２５】
本願発明者は、「ホールガーメント（登録商標）」として株式会社島製作所製の「ＳＷＧ０６Ｎ２  ７Ｇ」を用いて、図４（ｂ）に示したようにクッション部材２０と同じ形状のクッション部２０ａと手袋１０とが一体化した無縫製ニット構造の手袋１０を製作した。
【００２６】
ここで、図４（ｂ）のクッション部２０ａは、ニット業界においては「スペーサーファブリック」とも称されるものであり、その機能としては、図４（ａ）のクッション部材２０と同様の機能を果たすものである。
【００２７】
本実施例１を、図４（ｂ）に示したように無縫製ニット構造で構成した場合には、図４（ａ）に示した構成に比して、縫い目が無いのでその分だけ手Ｈの動きがスムーズになる。また、クッション部２０ａが手袋１０と一体的に形成されているので、手Ｈを激しく動かしてもクッション部２０ａの位置がズレるようなことはない。
【実施例２】
【００２８】
図５は、本考案の実施例２の構成を示した斜視図である。
【００２９】
図５において、実施例１の構成を示した図１と同一符号のものは同一のものを示しているのでその説明は省略する。
【００３０】
本実施例２の構成が前述した実施例１の構成と異なる所は、クッション部材が配設されている位置である。本実施例２においては、クッション部材２１は、手袋１０を手Ｈに装着した際に、図９に示した小指球Ｐ２の側面部Ｐ２ｓ、すなわち手Ｈの掌側と手の甲側との間に位置する小指球Ｐ２の側面部Ｐ２ｓが当接する手袋１０の部分に配設されている。そして、このクッション部材２１の形状は小指球Ｐ２の側面部Ｐ２ｓを全体的に覆うような形状に形成されている。
【００３１】
このクッション部材２１についても、実施例１の構成と同様に、クッション部材２１を押え布部材を用いて手袋１０に固定してもよいし、このクッション部材２１を含む手袋１０全体を無縫製ニット構造として一体的に構成してもよい。また、４本指用露出口１２は、４本の指２〜５の先端から少なくとも第１関節までが露出するように構成されていればよい。
【００３２】
以上のように構成された本実施例２に係る手袋１０を手Ｈに装着した場合には、図６に示すようにタブレットＴに専用ペンＥを用いて物品のデザイン画などを長時間に亘って作成するようなときには、タブレットＴやデスクなどに接触して長時間圧迫される小指球の側面部にクッション部材２１が常に介在することになるので、この部分の疲労の蓄積を軽減化させることができる。
【実施例３】
【００３３】
図７は、本考案の実施例３の構成を示した斜視図である。
【００３４】
図７に示したように、本実施例３においては、実施例１と同じ位置にクッション部材２０が配設され、実施例２と同じ位置にクッション部材２１が配設されている。従って、本実施例３に係る手袋１０を手Ｈに装着した場合には、キーボードを操作するときも、専用ペンを用いてデザイン画をタブレットに描く作業をするときも手Ｈに蓄積する疲労の軽減化を図ることができる。
【００３５】
なお、本実施例３においても、４本指用露出口１２は、４本の指２〜５の先端から少なくとも第１関節までが露出するように構成されていればよく、また、クッション部材２０，２１を押え布部材を用いて手袋１０に固定してもよいし、このクッション部材２０，２１を含む手袋１０全体を無縫製ニット構造として一体的に構成してもよい。さらに、本実施例３のクッション部材は、クッション部材２０の形状とクッション部材２１との形状とを含む一体的な形状のクッション部材としてもよい。
【符号の説明】
【００３６】
１      親指
１ａ〜５ａ    第１関節
２〜５  指
２ｂ〜５ｂ    第２関節
１０    手袋
１０ａ  掌側部材
１０ｂ  手の甲側部材
１１    親指用露出口
１２    ４本指用露出口
２０，２１    クッション部材
２０ａ  クッション部
３０    押え布部材
Ｄ      デスク
Ｅ      専用ペン
Ｈ      手
ＨＪ    手首関節
Ｋ      キーボード
Ｐ１    母指球
Ｐ２    小指球
Ｐ２ｓ  小指球の側面部
Ｔ      タブレット
【図１】
0003234810.tif 000003
【図２】
0003234810.tif 000004
【図３】
0003234810.tif 000005
【図４】
0003234810.tif 000006
【図５】
0003234810.tif 000007
【図６】
0003234810.tif 000008
【図７】
0003234810.tif 000009
【図８】
0003234810.tif 000010
【図９】
0003234810.tif 000011